(57)【要約】【課題】媒体を外部へ飛び出させることなく集積させ信頼性を高める【解決手段】外部集積部１１は、集積ローラ４８により集積空間４０に紙幣ＢＬを放出し、当該集積空間４０と外部とを連通する開口部４２に対し幅方向における一方向（左方向）及び他方向（右方向）にそれぞれ少なくとも２本ずつ設けられたビルストッパ４４により、放出された紙幣ＢＬの先端を衝突させ、幅方向に沿って刻設された溝部により紙幣ＢＬの先端を支持し、集積空間４０に紙幣ＢＬを集積させるようにした。【選択図】図１１
2014049026.tif 000002
【特許請求の範囲】
【請求項１】
紙葉状の媒体を放出する媒体放出部と、
内部に形成された媒体集積空間に上記媒体を収容し、当該媒体集積空間と外部とを連通する開口部が形成された媒体収容部と、
上記開口部に対し上記媒体の放出方向に直交する幅方向における一方向及び他方向にそれぞれ少なくとも２本ずつ設けられ、放出された上記媒体の先端を衝突させ、上記幅方向に沿って刻設された溝により上記媒体の先端を支持し、上記媒体集積空間に上記媒体を集積させる媒体支持部と
を有する媒体集積装置。
【請求項２】
上記媒体支持部は、上記媒体集積空間を露出させるよう上記媒体収容部から外部へ向かって可動する
請求項１に記載の媒体集積装置。
【請求項３】
上記媒体支持部は、一旦集積された上記媒体が上記媒体集積空間から上記開口部を介し外部へ移動する際、当該媒体の移動経路から退避するよう可動する
請求項２に記載の媒体集積装置。
【請求項４】
開閉可能に構成され、上記媒体収容部を外部に露出させる又は外部から被覆するカバーをさらに有し、
上記媒体支持部は、上記媒体収容部のうち上記媒体の放出方向の先端側に位置する側面に設けられた内側媒体支持部と、当該内側媒体支持部に対し上記幅方向の外側に位置し上記カバーに設けられた外側媒体支持部とからなり、
上記カバーが開く際、上記内側媒体支持部が上記媒体の移動経路から退避する
請求項３に記載の媒体集積装置。
【請求項５】
上記媒体支持部は、上記媒体放出部に搬送される際搬送されるべき幅方向の中央部分を基準として配置されている
請求項１に記載の媒体集積装置。
【請求項６】
上記媒体支持部は、上記媒体放出部に搬送される際搬送されるべき幅方向の端部を基準として配置されている
請求項１に記載の媒体集積装置。
【請求項７】
紙葉状の媒体を取り込む媒体取込部と、
上記媒体を搬送する搬送部と、
上記搬送部により搬送された上記媒体を放出する媒体放出部と、
内部に形成された媒体集積空間に上記媒体を収容し、当該媒体集積空間と外部とを連通する開口部が形成された媒体収容部と、
上記開口部に対し上記媒体の放出方向に直交する幅方向における一方向及び他方向にそれぞれ少なくとも２本ずつ設けられ、放出された上記媒体の先端を衝突させ、上記幅方向に沿って刻設された溝により上記媒体の先端を支持し、上記媒体集積空間に上記媒体を集積させる媒体支持部と
を有する媒体処理装置。
【発明の詳細な説明】
【技術分野】
【０００１】
本発明は媒体集積装置及び媒体処理装置に関し、例えば集積された紙幣を取り込んで計数し、所定枚数毎に結束して整理する紙幣整理装置に適用して好適なものである。
【背景技術】
【０００２】
従来、金融機関で使用される出納機においては、金種別に紙幣を計数し、計数した紙幣を複数の一時集積部に集積して、一定枚数毎に結束して整理する紙幣整理装置が組み込まれたものが広く用いられている。
【０００３】
紙幣整理装置としては、例えば多数枚の紙幣を集積した状態で紙幣取込部にセットすると、この紙幣を１枚ずつに分離して取り込み、金種や正損等の鑑別を行い、金種や正損等の鑑別結果に基づいて一時集積部に集積し、集積枚数が一定になるとそれを結束材により束ねて排出するものが提案されている（例えば、特許文献１参照）。
【０００４】
図２７に模式的に示すように、紙幣取込部４０５にセットされる際、紙幣ＢＬは当該紙幣取込部４０５に形成された左壁面２３及び右壁面２５によって左右方向の位置が物理的に規制される。
【０００５】
紙幣取込部４０５の右端に寄せてセットされた紙幣ＢＬは、当該紙幣ＢＬの右端が右側取込限界ラインＬＩＲを通過するように搬送部７により搬送される一方、紙幣取込部４０５の左端に寄せてセットされた紙幣（図示せず）は、当該紙幣の左端が左側取込限界ラインＬＩＬを通過するように搬送部７により搬送される。
【０００６】
このような紙幣整理装置には、結束処理の対象外となる紙幣を図２７及び図２８に示すような外部集積部４１１へ搬送して集積し、作業者に取り出させるものがある。
【０００７】
外部集積部４１１は、アッパガイド３２、ロアガイド３４、フロントガイド４３６（４３６Ｒ及び４３６Ｌ）及びステージ３８により囲まれた空間が、紙幣を一時的に蓄積する空間である集積空間４０を形成している。
【０００８】
フロントガイド４３６Ｌと４３６Ｒとの間には、集積空間４０と外部とを連通する開口部４４２が設けられている。これにより紙幣整理装置は、１日に数万枚もの紙幣を処理しつつ、集積空間４０に集積された紙幣を開口部４４２を介して作業者に外部へ取り出させやすくすることができるため、高い操作性を有している。
【０００９】
開口部４４２の左右両側には、フロントガイド４３６Ｒ及び４３６Ｌの後面に、搬送される紙幣の長手方向の長さよりも短い間隔を空けてビルストッパ４４Ｒ及び４４Ｌがそれぞれ設けられている。集積空間４０に放出された紙幣はビルストッパ４４（４４Ｒ及び４４Ｌ）に衝突し勢いが吸収され、ステージ３８上に集積される。
【先行技術文献】
【特許文献】
【００１０】
【特許文献１】特開２０１１−１２３５７３公報
【発明の概要】
【発明が解決しようとする課題】
【００１１】
このような外部集積部４１１においては、放出される紙幣のサイズが小さい場合や、柔らかい場合、放出された勢いで当該紙幣が変形しながら開口部４４２を通過し外部へ飛び出してしまい、信頼性が低下してしまうおそれがある。
【００１２】
本発明は以上の点を考慮してなされたもので、操作性を保ちつつ信頼性を向上し得る媒体集積装置及び媒体処理装置を提案しようとするものである。
【課題を解決するための手段】
【００１３】
かかる課題を解決するため本発明の媒体集積装置においては、紙葉状の媒体を放出する媒体放出部と、内部に形成された媒体集積空間に媒体を収容し、当該媒体集積空間と外部とを連通する開口部が形成された媒体収容部と、開口部に対し媒体の放出方向に直交する幅方向における一方向及び他方向にそれぞれ少なくとも２本ずつ設けられ、放出された媒体の先端を衝突させ、幅方向に沿って刻設された溝により媒体の先端を支持し、媒体集積空間に媒体を集積させる媒体支持部とを設けるようにした。
【００１４】
これにより媒体集積装置は、外部から開口部を介して媒体を取り出させつつ、媒体が開口部から飛び出すことを防止できる。
【００１５】
また本発明の媒体処理装置においては、紙葉状の媒体を取り込む媒体取込部と、媒体を搬送する搬送部と、搬送部により搬送された媒体を放出する媒体放出部と、内部に形成された媒体集積空間に媒体を収容し、当該媒体集積空間と外部とを連通する開口部が形成された媒体収容部と、開口部に対し媒体の放出方向に直交する幅方向における一方向及び他方向にそれぞれ少なくとも２本ずつ設けられ、放出された媒体の先端を衝突させ、幅方向に沿って刻設された溝により媒体の先端を支持し、媒体集積空間に媒体を集積させる媒体支持部とを設けるようにした。
【００１６】
これにより媒体処理装置は、外部から開口部を介して媒体を取り出させつつ、媒体が開口部から飛び出すことを防止できる。
【発明の効果】
【００１７】
本発明によれば、外部から開口部を介して媒体を取り出させつつ、媒体が開口部から飛び出すことを防止できる。かくして本発明は、操作性を保ちつつ信頼性を向上し得る媒体集積装置及び媒体処理装置を実現できる。
【図面の簡単な説明】
【００１８】
【図１】紙幣整理装置の構成（１）を示す斜視図である。
【図２】紙幣整理装置の構成（２）を示す右側面図である。
【図３】第１の実施の形態による紙幣取込部と外部集積部との位置関係を示す略線図である。
【図４】第１の実施の形態による外部集積部の構成（１）を示す斜視図である。
【図５】第１の実施の形態による外部集積部の構成（２）を示す断面図である。
【図６】第１の実施の形態による外部集積部における反時計回りの斜行紙幣を示す平面図である。
【図７】第１の実施の形態による外部集積部における時計回りの斜行紙幣を示す平面図である。
【図８】第１の実施の形態による外部集積部における反時計回りの斜行半券紙幣を示す平面図である。
【図９】第１の実施の形態による外部集積部における時計回りの斜行半券紙幣を示す平面図である。
【図１０】第２の実施の形態による外部集積部の構成を示す斜視図である。
【図１１】第２の実施の形態による紙幣取込部と外部集積部との位置関係（１）を示す略線図である。
【図１２】第２の実施の形態による紙幣取込部と外部集積部との位置関係（２）を示す略線図である。
【図１３】第２の実施の形態による外部集積部における右側搬送限界状態の反時計回りの斜行紙幣を示す平面図である。
【図１４】第２の実施の形態による外部集積部における右側搬送限界状態の時計回りの斜行紙幣を示す平面図である。
【図１５】第２の実施の形態による外部集積部における左側搬送限界状態の反時計回りの斜行紙幣を示す平面図である。
【図１６】第２の実施の形態による外部集積部における左側搬送限界状態の時計回りの斜行紙幣を示す平面図である。
【図１７】第２の実施の形態による外部集積部における半券紙幣（１）を示す平面図である。
【図１８】第２の実施の形態による外部集積部における半券紙幣（２）を示す平面図である。
【図１９】第３の実施の形態による外部集積部の構成（１）を示す斜視図である。
【図２０】第３の実施の形態による外部集積部の構成（２）を示す斜視図である。
【図２１】第３の実施の形態による外部集積部の構成（３）を示す斜視図である。
【図２２】第４の実施の形態による外部集積部の構成（１）を示す斜視図である。
【図２３】第４の実施の形態によるカバー及びフロントガイドの構成を示す斜視図である。
【図２４】第４の実施の形態によるカバーの構成を示す斜視図である。
【図２５】第４の実施の形態による外部集積部の構成（２）を示す斜視図である。
【図２６】第４の実施の形態による外部集積部の構成（３）を示す斜視図である。
【図２７】従来の紙幣取込部と外部集積部との位置関係を示す略線図である。
【図２８】従来の外部集積部の構成を示す斜視図である。
【図２９】従来の外部集積部における右側搬送限界状態の反時計回りの斜行紙幣を示す平面図である。
【図３０】従来の外部集積部における左側搬送限界状態の時計回りの斜行紙幣を示す平面図である。
【図３１】従来の外部集積部における半券紙幣（１）を示す平面図である。
【図３２】従来の外部集積部における半券紙幣（２）を示す平面図である。
【図３３】従来の外部集積部における反時計回りの斜行半券紙幣を示す平面図である。
【発明を実施するための形態】
【００１９】
以下、発明を実施するための形態（以下実施の形態とする）について、図面を用いて説明する。
【００２０】
［１．第１の実施の形態］
［１−１．紙幣整理装置の構成］
図１及び図２に示すように、紙幣整理装置１は、紙幣を計数し、所定枚数毎に結束して整理するようになされている。
【００２１】
因みにこの紙幣整理装置１は、例えば金融機関の現金センタ等に設置され、金融機関の職員等（以下作業者と呼ぶ）の操作に従い、紙幣の整理を実行するようになされている。
【００２２】
紙幣整理装置１は、直方体状に構成された筐体２の内部に種々の機構が組み込まれており、これらを制御部３により統括制御するようになされている。制御部３は、図示しないＣＰＵ（Central Processing Unit）を中心に構成されており、図示しないＲＯＭやフラッシュメモリ等から所定のプログラムを読み出して実行することにより、紙幣の計数処理や施封処理等を行うようになされている。
【００２３】
筐体２の上部後方には、各種画面を表示するＬＣＤ（Liquid Crystal Display）と、作業者の入力操作を受け付けるタッチパネルとが一体化された操作表示部４が取り付けられている。操作表示部４は、所定の操作画面を表示しながら、動作モードの指定や、計数すべき紙幣の金種、集積順序等の設定作業を作業者に行わせ、その設定内容を制御部３へ通知するようになされている。
【００２４】
因みに以下では、作業者が対峙する正面へ向かう方向を前方向と定義し、その反対を後方向と定義して、さらに当該紙幣整理装置１の前側に対峙して見たときの左右方向及び上下方向をそれぞれ定義して説明する。
【００２５】
筐体２の前側上部には、紙幣を取り込む紙幣取込部５が設けられている。紙幣取込部５は、フロアガイド２０、左側壁２２及び右側壁２４によって囲まれ紙幣を取り込む空間が形成されている。
【００２６】
本実施の形態においては、長手方向を紙幣整理装置１の左右方向に沿わせてフロアガイド２０に紙幣が載置される。
【００２７】
また紙幣整理装置１は、例えば中国用の紙幣（例えば１００元紙幣及び１０元紙幣）を取り込み、所定枚数毎に結束して整理するようになされている。１００元紙幣は、長手方向の長さが１５５ｍｍ、短手方向の長さが７７ｍｍとなっている。１０元紙幣は、長手方向の長さが１４０ｍｍ、短手方向の長さが７０ｍｍとなっている。
【００２８】
左側壁２２の内壁面（右側面）である左壁面２３と右側壁２４の内壁面（左側面）である右壁面２５との間の距離は、紙幣整理装置１において取り扱われる紙幣のうち、最も長い長手方向の長さよりもやや長く設定されている。以下では、左壁面２３から右壁面２５まで（図３に示す右側取込限界ラインＬＩＲから左側取込限界ラインＬＩＬまで）の幅を取込幅ＷＩとも呼ぶ。
【００２９】
このため紙幣は、左壁面２３を左側の限度として、また右壁面２５を右側の限度としてフロアガイド２０に載置される。すなわち紙幣は、フロアガイド２０に載置される際に、左壁面２３よりも左側には、また右壁面２５よりも右側には位置ずれしないよう、紙幣取込部５によって左右方向の位置が物理的に規制されている。
【００３０】
本実施の形態においては、図３に示すように、紙幣を紙幣取込部５に載置する際の基準の位置となる紙幣セット基準位置ＰＢＬが、右壁面２５の位置に設定されている。
【００３１】
このため紙幣取込部５には、紙幣の右端を当該紙幣セット基準位置ＰＢＬに合わせて、すなわち紙幣の右端を右壁面２５に当接させつつフロアガイド２０に載置することを作業者に促すよう、当該紙幣セット基準位置ＰＢＬが視認可能に示されている。
【００３２】
このように紙幣整理装置１においては、作業者に対し紙幣セット基準位置ＰＢＬに紙幣を位置合わせさせることにより、搬送中の紙幣の位置のばらつきを抑えることができる。
【００３３】
紙幣取込部５は、作業者により紙幣が集積されて操作ボタン６が操作されると、この紙幣を搬送ローラ１６により１枚ずつに分離して内部へ取り込み、搬送部７（図２）に受け渡す。
【００３４】
搬送部７は、搬送ベルト１７Ｒ及び１７Ｌ（図３）、ローラ及び紙幣ガイド等の組み合わせにより各部の間を結ぶ搬送路を形成しており、制御部３の制御に基づき、この搬送路に沿って紙幣を各部へ搬送するようになされている。
【００３５】
この搬送部７は、紙幣セット基準位置ＰＢＬ（図３）に合わせて取り込まれた紙幣の右端を右側取込限界ラインＬＩＲに沿わせて搬送する。因みに搬送部７は、仮に左壁面２３に合わせて紙幣が載置された場合、当該左壁面２３から外部集積部１１に向かって延びる仮想的なラインである左側取込限界ラインＬＩＬに当該紙幣の左端を沿わせて搬送する。
【００３６】
また搬送部７は、左右両端において紙幣ガイドにより形成された左側搬送限界ラインＬＦＬ及び右側搬送限界ラインＬＦＲが形成されている。右側搬送限界ラインＬＦＲ及び左側搬送限界ラインＬＦＬは、紙幣が搬送される際に当該紙幣が通過する右端及び左端のラインであり、搬送部７においてそれ以上右側及び左側に紙幣が位置ずれしないよう設定されている。
【００３７】
右側搬送限界ラインＬＦＲから左側搬送限界ラインＬＦＬまでの幅である搬送幅ＷＦは、取込幅ＷＩよりもやや大きく設定されている。
【００３８】
搬送部７（図２）は、紙幣取込部５から紙幣を受け渡されると、これを鑑別部８へ搬送する。鑑別部８は、その内部で紙幣を搬送しながら当該紙幣の金種、真偽、表裏及び損傷の程度等を鑑別し、その鑑別結果を制御部３へ通知する。
【００３９】
これに応じて制御部３は、取得した鑑別結果に基づいて当該紙幣の搬送先を決定すると共に、当該紙幣を計数する。このとき制御部３は、金種を特定できなかった紙幣や搬送異常を検出したことにより、異常と判別した紙幣を搬送部７によりリジェクトポケット９へ搬送させる。
【００４０】
リジェクトポケット９は、筐体２における紙幣取込部５の上方に一部を露出させるように配置されており、搬送部７により搬送されてきた紙幣を集積し、作業者に取り出させるようになされている。
【００４１】
また制御部３は、正常と判別した紙幣を搬送部７により表裏反転部１０へ搬送させる。表裏反転部１０は、鑑別部８における判別結果が「表」又は「裏」のいずれか一方であった紙幣の表裏を反転させることにより、全ての紙幣の表裏を統一して再度搬送部７に受け渡す。
【００４２】
続いて制御部３は、正常と判別されたものの、後述する結束処理の対象外となる紙幣を外部集積部１１へ搬送する。外部集積部１１は、筐体２の上部における操作表示部４の前方に一部を露出させるように前後方向に並んで２個配置されており、リジェクトポケット９と同様、搬送部７により搬送されてきた紙幣を集積し、作業者に取り出させるようになされている。
【００４３】
因みに結束処理の対象とする紙幣の種類等については、操作表示部４を介して設定できるようになされている。
【００４４】
一方制御部３は、正常と判別され、且つ結束処理の対象となる紙幣を集積部１２へ搬送する。集積部１２は、４箇所の一時集積部１２Ａ〜１２Ｄを上下に並べて配置すると共に、搬送部７から受け渡された紙幣を上下方向に搬送して当該一時集積部１２Ａ〜１２Ｄのいずれかに受け渡し、集積するようになされている。
【００４５】
実際上集積部１２は、制御部３の制御に基づき、鑑別部８における鑑別結果に応じて紙幣を一時集積部１２Ａ〜１２Ｄのいずれかに集積する。この結果、集積部１２の一時集積部１２Ａ〜１２Ｄには、金種等の予め設定された条件ごとに分類された紙幣がそれぞれ集積されることになる。
【００４６】
一方、制御部３は、集積部１２の一時集積部１２Ａ〜１２Ｄそれぞれについて、集積された紙幣の枚数を計数しており、この枚数が予め設定された結束単位、例えば１００枚に到達すると、移送部１３に紙幣の移送を指示する。
【００４７】
移送部１３は、集積部１２の後方に配置されており、一時集積部１２Ａ〜１２Ｄに集積された紙幣を後方へ取り出し、さらに下方へ移動させることにより、当該集積部１２の下方に配置された紙幣結束部１４に受け渡す。
【００４８】
紙幣結束部１４は、移送部１３により移送されてきた１００枚の紙幣を紙テープ等の結束部材によって結束することにより紙幣束を作成し、これを放出口１５へ送り出す。
【００４９】
放出口１５は、筐体２の前面下部に設けられており、作成された紙幣束を作業者に取り出させるようになされている。
【００５０】
このように紙幣整理装置１は、紙幣取込部５に集積された紙幣を１枚ずつ取り込み、金種等に応じて分類した上で１００枚等の結束単位ごとに結束して紙幣束を順次生成するようになされている。
【００５１】
［１−２．外部集積部の構成］
図４及び図５に示すように、第１の実施の形態による外部集積部１１は、アッパガイド３２、ロアガイド３４、フロントガイド３６及びステージ３８により囲まれた空間が、紙幣を一時的に蓄積する空間である集積空間４０を形成している。
【００５２】
ロアガイド３４は、側面視が略三角形状であり、集積空間４０の右側面及び左側面を形成している。ステージ３８は板状であり、ロアガイド３４の内側における上部に設けられ、紙幣が集積される。
【００５３】
アッパガイド３２は板状であり、ロアガイド３４よりも内側において集積空間４０の右側面、左側面及び上側面を形成している。アッパガイド３２の天板３３の前端には、板状でなる左右一対のフロントガイド３６（３６Ｒ及び３６Ｌ）が、当該天板３３に対しほぼ直角に固定されている。以下では、フロントガイド３６Ｒ及び３６Ｌをまとめてフロントガイド３６とも呼ぶ。
【００５４】
フロントガイド３６Ｒ及び３６Ｌは、互いに左右方向に所定の間隔を隔てて設けられているため、当該フロントガイド３６Ｒと３６Ｌとの間には、集積空間４０と外部とを挿通する開口部４２が形成されている。
【００５５】
これにより作業者は、開口部４２から指を入れて集積空間４０に集積された紙幣を摘み、紙幣を変形させつつ当該開口部４２を通過させて、容易に外部へ抜き出すことができる。
【００５６】
フロントガイド３６Ｒ及び３６Ｌは、従来のフロントガイド４３６Ｒ及び４３６Ｌ（図２８）と比較して、それぞれ左側及び右側（すなわち左右方向内側）へ広がるように形成されている。
【００５７】
これにより外部集積部１１における開口部４２の左右方向の開口幅ＷＡは、従来の外部集積部４１１（図２８）における開口部４４２の開口幅ＷＡよりも狭く構成されている。
【００５８】
またフロントガイド３６Ｒ及び３６Ｌは、図３に示すように外部集積部１１の左右方向の中央よりも右側に開口部４２が位置するように設けられている。
【００５９】
搬送部７（図５）は、ロアガイド３４の後方上部に設けられている。搬送部７の出口に設けられた集積ローラ４８（４８ａ及び４８ｂ）は、図示しない駆動部により図中反時計方向及び時計方向にそれぞれ回転することにより、搬送部７で搬送された紙幣ＢＬを挟持し集積空間４０へ放出する。
【００６０】
集積ローラ４８ｂの回転軸には、ゴム等の弾性部材で形成された紙幣叩き５０が設けられている。この紙幣叩き５０は、集積ローラ４８ｂと共に反時計方向に回転することにより、集積空間４０へ放出された紙幣ＢＬの後端部分を、下方向へ向けて叩き落とす。
【００６１】
フロントガイド３６の後側面には、搬送部７と対向する位置に、フロントガイド３６に沿って上下方向に延在する略直方体でなる、４本のビルストッパ４４（４４ＲＲ、４４ＲＬ、４４ＬＲ及び４４ＬＬ）（図３及び図４）が設けられている。以下では、ビルストッパ４４ＲＲ、４４ＲＬ、４４ＬＲ及び４４ＬＬをまとめてビルストッパ４４とも呼ぶ。
【００６２】
ビルストッパ４４は、ビルストッパ４４ＬＬからビルストッパ４４ＲＲまでの間隔が、１０元紙幣ＢＬ１０の長手方向のおよそ２／３の長さに設定されており、ビルストッパ４４ＬＬ、４４ＬＲ、４４ＲＬ及び４４ＲＲは、それぞれ等間隔に配置されている。またビルストッパ４４は全体として、外部集積部１１の左右方向の中央よりも右寄りに配置されている。
【００６３】
ビルストッパ４４ＬＲ及び４４ＲＬは、フロントガイド３６Ｌ及び３６Ｒにおける右端及び左端にそれぞれ設けられている。またビルストッパ４４（図３）における後端部分は、丸みを帯びており、曲面形状となっている。
【００６４】
ビルストッパ４４における後端部分には、集積ローラ４８（図５）から紙幣ＢＬが放出される放出方向に直交する、紙幣ＢＬの幅方向（左右方向）に延在する、断面Ｖ字形状の溝部（図示せず）が上下方向に複数本並んで鋸歯状に刻設されている。
【００６５】
ビルストッパ４４とフロントガイド３６との間には、弾性部材で形成されたスプリング４６が内蔵されている。このためビルストッパ４４は、スプリング４６により後方へ付勢されている。
【００６６】
かかる構成において、集積ローラ４８から紙幣が集積空間４０に放出されると、当該紙幣の先端がビルストッパ４４に衝突し、先端が溝部に入り込むことにより、当該先端が下方向に垂れ下がることを防止される。
【００６７】
このときスプリング４６が縮むことによりビルストッパ４４が前方へ移動する。これによりビルストッパ４４は、搬送部７から取り込まれた紙幣の先端が衝突した際の衝撃を吸収し、紙幣が強くバウンドしてしまうことを抑止すると共に、紙幣に傷を付けてしまうことを防止することができる。
【００６８】
［１−３．紙幣取込部と外部集積部との位置関係］
図３に、紙幣取込部５と外部集積部１１との位置関係を模式的に示す。なお図３においては、紙幣整理装置１における搬送部７の構成の関係により、紙幣取込部５と外部集積部１１との上下の方向が反転して図示されている。また図３においては、紙幣取込部５から外部集積部１１までの間の搬送部７は、一部図示せず省略している。
【００６９】
図３に示すように、フロントガイド３６は、開口部４２における左右中央が、紙幣取込部５の左右中央と外部集積部１１の集積空間４０の左右中央とを結ぶ搬送中央ラインＬＦＣに対し右方向へずれて位置するよう設けられている。
【００７０】
このように外部集積部１１は、紙幣セット基準位置ＰＢＬに位置合わせされ搬送中央ラインＬＦＣに対し右方向へ寄って搬送される紙幣に対応させて、ビルストッパ４４の位置を右方向へ移動させている。
【００７１】
［１−４．動作及び効果］
図２９に、従来の外部集積部４１１において、スキューが発生していない正常な紙幣と比べ、左端が右端よりも先行する（すなわち上部から見て反時計回りに回転する）ようにスキューしている紙幣ＢＬが集積空間４０へ放出された状態を示す。図２９においては、紙幣ＢＬの右端が右側搬送限界ラインＬＦＲのやや内側に沿うよう（以下では、右側搬送限界状態とも呼ぶ）スキューして搬送された状態を示している。
【００７２】
以下では、スキューが発生していない紙幣を非斜行紙幣とも呼び、スキューが発生した紙幣を斜行紙幣とも呼ぶ。また図２９及び後述する図面においては、１００元紙幣ＢＬ１００と１０元紙幣ＢＬ１０とを示している。ここで１０元紙幣ＢＬ１０は、１００元紙幣ＢＬ１００よりもサイズが小さく、開口部から抜け出し易い傾向にあるため、以下では１０元紙幣ＢＬ１０を紙幣ＢＬとして扱い説明する。
【００７３】
図２９においては、長手方向の長さが１００元紙幣ＢＬ１００よりも短い１０元紙幣ＢＬ１０における、先行する左側端部がビルストッパ４４Ｌに接触して撓みつつ、放出された勢いにより開口部４４２を通過してしまう。以下では、スキューしている紙幣ＢＬにおいて先行する左右方向いずれかの端部を、先行端部とも呼ぶ。また図３０に示す、従来の外部集積部４１１において紙幣ＢＬが時計回りにスキューし左側搬送限界状態となった状態においては、右側先行端部がビルストッパ４４Ｒに接触して撓みつつ、放出された勢いにより開口部４４２を通過してしまう。
【００７４】
これに対し、本実施の形態による外部集積部１１において、図２９と同様に右側搬送限界状態における反時計回りの紙幣ＢＬが搬送された場合を図６に示す。
【００７５】
図６においては、ビルストッパ４４が、右側搬送限界状態における紙幣の位置に合わせて右側寄りに配置されている。また、ビルストッパ４４ＬＬ及び４４ＲＲの内側に、さらにビルストッパ４４ＬＲ及び４４ＲＬが設けられていると共に、開口幅ＷＡが外部集積部４１１（図２９）よりも狭められている。
【００７６】
このため、まず紙幣の左側先行端部がビルストッパ４４ＬＬに衝突し、続いて紙幣の先端の右側が他のビルストッパ４４（４４ＬＲ、４４ＲＬ及び４４ＬＬ）に衝突することにより、当該紙幣の勢いは吸収され集積空間４０に正常に集積される。
【００７７】
このとき紙幣ＢＬが柔らかいために、左側先行端部がビルストッパ４４ＬＬを右側に越えてしまった場合であっても、当該左側先行端部はビルストッパ４４ＬＲに衝突する。
【００７８】
ここで仮に、開口幅ＷＡを外部集積部４１１（図２９）に対し狭めるのみでビルストッパ４４ＬＲ及び４４ＲＬを設けなかった場合、フロントガイド３６Ｌに衝突した紙幣は、当該フロントガイド３６Ｌの後面に合わせて先端が曲がるよう変形し、そのまま開口部４２を通過してしまったり、開口部４２を通過しなかったとしても正常に集積空間４０に集積されなくなったりしてしまう。
【００７９】
これに対し外部集積部１１においては、ビルストッパ４４ＬＬ及び４４ＲＲの内側に、ビルストッパ４４ＬＲ及び４４ＲＬをさらに設けるようにした。
【００８０】
このため外部集積部１１は、ビルストッパ４４ＬＬ及び４４ＲＲを越えてしまった紙幣の先端の変形を防ぐことにより、当該紙幣が開口部４２を抜け出してしまうことを防ぎつつ、変形させることなく正常に集積空間４０に集積させることができる。
【００８１】
さらに外部集積部１１においては、開口部４２の開口幅ＷＡを従来の外部集積部４１１の開口部４４２（図２９）よりも狭く構成することにより、仮に紙幣ＢＬがビルストッパ４４を越えてしまった場合でも、当該開口部４２から外部へ抜け出しにくくすることができる。
【００８２】
また図７に、外部集積部１１において、紙幣の右端が左端よりも先行する（すなわち上部から見て時計回りに回転する）ようにスキューし右側搬送限界状態にある紙幣ＢＬが集積空間４０へ放出された状態を示す。
【００８３】
紙幣ＢＬは、右端先行端部がビルストッパ４４ＲＲに接触した後、当該紙幣ＢＬの先端の左側が他のビルストッパ４４（４４ＲＬ、４４ＬＲ及び４４ＬＬ）に接触することにより、集積空間４０に正常に集積される。
【００８４】
また図７においても、図６と同様に外部集積部１１は、ビルストッパ４４ＲＲを左側に越えてしまった紙幣ＢＬの先端の変形をビルストッパ４４ＲＬで防ぐことにより、当該紙幣ＢＬが開口部４２を抜け出してしまうことを防ぎつつ、正常に集積空間４０に集積させることができる。
【００８５】
以上は紙幣セット基準位置ＰＢＬが右壁面２５（図３）に設定され、反時計回り及び時計回りにスキューし右側搬送限界状態となった斜行紙幣について述べたが、仮に紙幣セット基準位置ＰＢＬを左壁面２３に設定した場合、時計回り及び反時計回りにスキューし左側搬送限界状態となった斜行紙幣については、搬送中央ラインＬＦＣを中心として左右対称に紙幣が移動する。
【００８６】
この場合、搬送中央ラインＬＦＣを中心として外部集積部１１と左右対称になるようにフロントガイド及びビルストッパを配置すれば良い。
【００８７】
ところで、紙幣ＢＬは長手方向の中央部分を折り目にして２つ折りにされることが多いため、以下ではそのように折り畳まれた紙幣について説明する。以下では、折り畳まれた紙幣を半券紙幣ＢＬｆとも呼ぶ。
【００８８】
上述したように１０元紙幣ＢＬ１０は、１００元紙幣ＢＬ１００よりもサイズが小さく、開口部から抜け出し易い傾向にあるため、以下では１０元紙幣ＢＬ１０が折り畳まれた紙幣を半券紙幣ＢＬｆとして扱い説明する。
【００８９】
図３３に、従来の外部集積部４１１において半券紙幣ＢＬｆが反時計回りにスキューして集積空間４０へ放出された状態を示す。
【００９０】
半券紙幣ＢＬｆは、左側先行端部がビルストッパ４４Ｌに接触して撓みつつ、放出された勢いにより開口部４４２を通過してしまう。
【００９１】
これに対し、本実施の形態による外部集積部１１において、反時計回り及び時計回りにそれぞれスキューし右側搬送限界状態となった半券紙幣ＢＬｆが搬送された場合を図８及び図９に示す。
【００９２】
半券紙幣ＢＬｆは、左端先行端部がビルストッパ４４ＲＬに接触した後、当該半券紙幣ＢＬｆの先端の右側がビルストッパ４４ＲＲに接触することにより、集積空間４０に正常に集積される。
【００９３】
図９においては、半券紙幣ＢＬｆは、右端先行端部がビルストッパ４４ＲＲに接触した後、当該半券紙幣ＢＬｆの先端の左側がビルストッパ４４ＲＬに接触することにより、集積空間４０に正常に集積される。
【００９４】
またビルストッパ４４ＲＬとビルストッパ４４ＬＲとの間隔は、半券紙幣ＢＬｆの左右方向の長さよりも十分に狭く形成されているため、外部集積部１１は、図８及び図９において半券紙幣ＢＬｆがビルストッパ４４ＲＬ及び４４ＬＲを越えて開口部４２を通過してしまうことを防止できる。
【００９５】
以上は紙幣セット基準位置ＰＢＬが右壁面２５に設定され、反時計回り及び時計回りにスキューし右側搬送限界状態となった斜行半券紙幣について述べたが、仮に紙幣セット基準位置ＰＢＬを左壁面２３に設定した場合、時計回り及び反時計回りにスキューし左側搬送限界状態となった斜行半券紙幣については、搬送中央ラインＬＦＣを中心として左右対称に紙幣が移動する。
【００９６】
この場合、搬送中央ラインＬＦＣを中心として外部集積部１１と左右対称になるようにフロントガイド及びビルストッパを配置すれば良い。
【００９７】
以上は、長手方向の中央部分を折り目にして２つ折りにされた半券紙幣ＢＬｆについて述べたが、当該半券紙幣ＢＬｆとほぼ同様のサイズとなるように裂けた紙幣についても、上述した半券紙幣ＢＬｆと同様に考えることができる。
【００９８】
また以上はスキューした紙幣ＢＬについて述べたが、外部集積部１１は、スキューしていない紙幣に対しても外部への抜け出しを防止できる。
【００９９】
以上の構成によれば、外部集積部１１は、集積ローラ４８により集積空間４０に紙幣ＢＬを放出し、当該集積空間４０と外部とを連通する開口部４２に対し幅方向における一方向（左方向）及び他方向（右方向）にそれぞれ少なくとも２本ずつ設けられたビルストッパ４４により、放出された紙幣ＢＬの先端を衝突させ、幅方向に沿って刻設された溝部により紙幣ＢＬの先端を支持し、集積空間４０に紙幣ＢＬを集積させるようにした。
【０１００】
これにより外部集積部１１は、外部から開口部４２を介して紙幣を取り出させつつ、紙幣が開口部４２から飛び出すことを防止できる。
【０１０１】
［２．第２の実施の形態］
図４との対応部分に同一符号を付した図１０に示す第２の実施の形態による外部集積部１１１は、第１の実施の形態による外部集積部１１と比較して、フロントガイド１３６Ｌ及び１３６Ｒの位置が相違するものの、他の部分については同様に構成されている。
【０１０２】
本実施の形態による紙幣整理装置１０１（図１）においては、紙幣取込部１０５に紙幣セット基準位置ＰＢＬは設定されておらず、作業者により紙幣取込部１０５の任意の位置に紙幣が載置される。
【０１０３】
［２−１．外部集積部の構成］
図１０及び図１１に示すように、フロントガイド１３６Ｒ及び１３６Ｌは、外部集積部１１１の左右方向の中央に、外部集積部１１（図４）の開口部４２と同等の開口幅ＷＡを有する開口部１４２が位置するように設けられている。
【０１０４】
このためビルストッパ４４は、搬送中央ラインＬＦＣに対して左右対称に配置されている。またビルストッパ４４ＬＬ及び４４ＲＲは、集積空間４０に対し、従来の外部集積部４１１（図２７）におけるビルストッパ４４Ｌ及び４４Ｒとほぼ同等の位置に設けられている。
【０１０５】
［２−２．動作及び効果］
上述したように、紙幣整理装置１０１においては紙幣セット基準位置ＰＢＬ（図３）が設定されていないため、紙幣取込部１０５から取り込まれた紙幣は、スキューしていない場合、左右方向において図１１に示すように右側取込限界ラインＬＩＲに寄った状態から図１２に示すように左側取込限界ラインＬＩＬに寄った状態までのいずれかの位置において搬送される。
【０１０６】
図１３に、反時計回りにスキューし右側搬送限界状態となった紙幣ＢＬを示す。外部集積部１１１においては、ビルストッパ４４ＬＬが外部集積部１１（図３）と比較して左寄りに配置されているため、紙幣ＢＬの左側先行端部は、当該ビルストッパ４４ＬＬを越えやすい状態となっている。
【０１０７】
仮にビルストッパ４４ＬＬを紙幣ＢＬが越えてしまっても、外部集積部１１１は、ビルストッパ４４ＬＬを越えてしまった紙幣ＢＬの先端の変形をビルストッパ４４ＬＲで防ぐことにより、従来の外部集積部４１１（図２９）のように当該紙幣ＢＬが開口部１４２を抜け出してしまうことを防ぎつつ、正常に集積空間４０に集積させることができる。
【０１０８】
図１４に示す、時計回りにスキューし右側搬送限界状態となった紙幣ＢＬにおいても、外部集積部１１１は、外部集積部１１（図７）と同様に、紙幣ＢＬが開口部１４２を抜け出してしまうことを防ぎつつ、正常に集積空間４０に集積させることができる。
【０１０９】
また図１５及び図１６にそれぞれ示す、紙幣ＢＬがそれぞれ反時計回り及び時計回りにスキューし左側搬送限界状態となった状態は、図１３及び図１４において搬送中央ラインＬＦＣを中心として左右対称に考えることができ、この状態においても外部集積部１１１は、紙幣ＢＬが開口部１４２を抜け出してしまうことを防ぎつつ、正常に集積空間４０に集積させることができる。
【０１１０】
図３１に、従来の外部集積部４１１において半券紙幣ＢＬｆが開口部４４２に対し右寄りに集積空間４０へ放出された状態を示す。
【０１１１】
半券紙幣ＢＬｆは、ビルストッパ４４Ｒを支点としながら反時計回りに回転し、ビルストッパ４４Ｌに接触して撓みつつ、放出された勢いにより開口部４４２を通過してしまう。
【０１１２】
同様に、図３２に示す、従来の外部集積部４１１において半券紙幣ＢＬｆが開口部４４２に対し左寄りに集積空間４０へ放出された状態においても、半券紙幣ＢＬｆは、ビルストッパ４４Ｌを支点としながら時計回りに回転し、ビルストッパ４４Ｒに接触して撓みつつ、放出された勢いにより開口部４４２を通過してしまう。
【０１１３】
これに対し、外部集積部１１１において半券紙幣ＢＬｆが開口部１４２に対し右寄りに集積空間４０へ放出された状態を図１７に示すように、半券紙幣ＢＬｆは、ビルストッパ４４ＲＲと共にビルストッパ４４ＲＬにも接触することにより、回転が抑えられ集積空間４０に正常に集積される。
【０１１４】
またビルストッパ４４ＲＬとビルストッパ４４ＬＲとの間隔は、半券紙幣ＢＬｆの左右方向の長さよりも十分に狭く形成されているため、外部集積部１１１は、半券紙幣ＢＬｆがビルストッパ４４ＲＬ及び４４ＬＲを越えて開口部４２を通過してしまうことを防止できる。
【０１１５】
また図１８に示す、半券紙幣ＢＬｆが開口部１４２に対し左寄りに集積空間４０へ放出された状態は、図１７において搬送中央ラインＬＦＣを中心として左右対称に考えることができ、この状態においても外部集積部１１１は、半券紙幣ＢＬｆが開口部４２を抜け出してしまうことを防ぎつつ、正常に集積空間４０に集積させることができる。  
【０１１６】
以上の構成において外部集積部１１１は、搬送中央ラインＬＦＣに対して左右対称にビルストッパ４４を配置するようにした。
【０１１７】
これにより外部集積部１１１は、紙幣取込部１０５に紙幣を載置する際に紙幣セット基準位置ＰＢＬに紙幣を寄せて載置するという、煩わしい動作を作業者に強いることなく、紙幣を集積空間４０に集積させることができ、操作性を向上させることができる。
【０１１８】
また外部集積部１１１は、第１の実施の形態による外部集積部１１と同様に、集積空間４０に放出された紙幣を外部に飛び出させないようにすることができる。
【０１１９】
その他第２の実施の形態による外部集積部１１１は、第１の実施の形態による外部集積部１１とほぼ同様の作用効果を奏し得る。
【０１２０】
このように外部集積部１１１は、煩わしい動作を強いることなく作業者に紙幣を紙幣取込部１０５に載置させると共に、外部から開口部４２を介して紙幣を取り出させつつ、紙幣が開口部１４２から飛び出すことを防止できる。
【０１２１】
［３．第３の実施の形態］
図１０との対応部分に同一符号を付した図１９〜図２１に示す第３の実施の形態による外部集積部２１１は、第２の実施の形態による外部集積部１１１と比較して、フロントガイド２３６がフロントガイド１３６と相違し、カバー３０が加えられているものの、他の部分については同様に構成されている。
【０１２２】
［３−１．外部集積部の構成］
外部集積部２１１には、アッパガイド３２、ロアガイド３４及びフロントガイド３６を覆うようにカバー３０が配置され、集積空間４０に紙幣を集積する際に発生する音を外部へ漏らさないように構成されている。
【０１２３】
カバー３０は上面が湾曲する形状であり、後端部においてロアガイド３４と回動軸５１を介し接続されている。このためカバー３０はロアガイド３４に対し、回動軸５１を支点として回動可能に構成されている。
【０１２４】
またカバー３０の前面には、凹んだ取手３１が形成されており、集積空間４０から紙幣を抜き出す際、作業者が当該取手３１に指を掛けて当該カバー３０を開けるようになされている。
【０１２５】
フロントガイド２３６の上端は、左右方向に沿った回動軸５１を介しアッパガイド３２の天板３３と接続されている。このためフロントガイド２３６はアッパガイド３２に対し、回動軸５１を支点として回動可能に構成されている。
【０１２６】
これによりフロントガイド２３６に取り付けられたビルストッパ４４は、当該フロントガイド２３６と共に回動することとなる。
【０１２７】
［３−２．動作及び効果］
以上の構成において、作業者は、紙幣を外部集積部２１１から取り出す際、カバー３０を開けて集積空間４０に開口部２４２から指を入れて紙幣を摘み手前側へ引き出す。
【０１２８】
このとき紙幣の前端がフロントガイド２３６の後面及びビルストッパ４４に接触することにより、図２１に示すように、当該ビルストッパ４４が手前側へ回動し、紙幣が抜き出される経路から退避する。
【０１２９】
このように外部集積部２１１は、作業者により抜き出される紙幣自身の動きを利用することにより、フロントガイド２３６を紙幣の移動経路から退避させることができる。
【０１３０】
これにより外部集積部２１１は、作業者に紙幣を容易に抜き出させることができ、操作性を向上させることができる。
【０１３１】
また作業者が紙幣を外部へ抜き出すことにより、紙幣から手前方向への力が掛からなくなると、フロントガイド２３６は自重により下方向へ回動し、集積空間４０を外部から遮断する位置に戻る。
【０１３２】
上述した第１及び第２の実施の形態による外部集積部１１及び１１１は、従来の外部集積部４１１と比較して開口部４２及び１４２が狭く構成されているため、紙幣の飛び出しを防止できる反面、作業者が紙幣を抜き出し難い可能性がある。
【０１３３】
これに対し本実施の形態による外部集積部２１１は、外部集積部１１及び１１１と同様に開口部２４２を狭く保ち紙幣の飛び出しを防止すると共に、外部集積部１１及び１１１よりも作業者に紙幣を抜き出しやすくすることができる。
【０１３４】
その他第３の実施の形態による外部集積部２１１は、第２の実施の形態による外部集積部１１１とほぼ同様の作用効果を奏し得る。
【０１３５】
［４．第４の実施の形態］
図１９〜図２１との対応部分に同一符号を付した図２２〜図２６に示す第４の実施の形態による外部集積部３１１は、第３の実施の形態による外部集積部２１１と比較して、カバー３３０、フロントガイド３３６及びビルストッパ３４４が、カバー３０、フロントガイド２３６及びビルストッパ４４と相違するものの、他の部分については同様に構成されている。
【０１３６】
［４−１．外部集積部の構成］
フロントガイド３３６Ｌはフロントガイド２３６Ｌと比較して、右側が削れるように横幅が狭く形成されている。またフロントガイド３３６Ｒはフロントガイド２３６Ｒと比較して、左側が削れるように横幅が狭く形成されている。
【０１３７】
ビルストッパ３４４ＬＬ及び３４４ＲＲは、それぞれフロントガイド３３６Ｌ及び３３６Ｒにおいて、集積空間４０に対しビルストッパ４４ＬＬ及び４４ＲＲ（図２０）と同様の位置に設けられている。
【０１３８】
カバー３３０の内側において、当該カバー３３０が閉じられた際にビルストッパ３４４ＬＬ及び３４４ＲＲの間に位置する箇所には、縦長のステー５２（５２Ｌ及び５２Ｒ）が設けられている。
【０１３９】
ステー５２Ｌ及び５２Ｒには、ビルストッパ３４４ＬＲ及び３４４ＲＬがそれぞれ図示しないスプリングを介し設けられている。
【０１４０】
このビルストッパ３４４ＬＲ及び３４４ＲＬは、集積空間４０に対しビルストッパ４４ＬＲ及び４４ＲＬと同様の位置に設けられている。またビルストッパ３４４における後端部分は、角がほぼ９０度の角度をもつ角形状となっている。
【０１４１】
このように外部集積部３１１は、外部集積部２１１と比較して、ビルストッパ３４４ＬＲ及び３４４ＲＬが、フロントガイド３３６Ｌ及び３３６Ｒではなくカバー３３０に設けられている。
【０１４２】
これにより外部集積部３１１は、カバー３３０が閉じた状態（図２２）においては、外部集積部２１１と同様に狭い開口幅ＷＡを有する集積時開口部５４を形成すると共に、カバー３３０が開いた状態（図２５）においては、集積時開口部５４より広い開口幅ＷＡを有する取出時開口部５６を形成する。
【０１４３】
［４−２．動作及び効果］
以上の構成において、作業者は、紙幣を外部集積部３１１から取り出す際、カバー３３０を開ける。これにより、集積時開口部５４よりも開口幅が広い、取出時開口部５６が露出する。
【０１４４】
作業者は、集積空間４０に取出時開口部５６から指を入れて紙幣を摘み手前側へ引き出す。このとき紙幣の前端がフロントガイド３３６の後面及びビルストッパ３４４ＬＬ及び３４４ＲＲに接触することにより、図２６に示すように、当該ビルストッパ３４４ＬＬ及び３４４ＲＲが手前側へ回動し、紙幣が抜き出される経路から退避する。
【０１４５】
このように外部集積部３１１は、カバー３３０が閉じた状態では開口幅ＷＡを狭く保つことにより外部への紙幣の飛び出しを防ぐ一方、紙幣を抜き出す際にカバー３３０が開いた状態では、開口幅ＷＡを広く保つことにより、紙幣を抜き出し易くすることができる。
【０１４６】
また外部集積部３１１は、外部集積部２１１と同様に、作業者により抜き出される紙幣自身の動きを利用することにより、フロントガイド３３６を紙幣の移動経路から退避させることができる。
【０１４７】
これにより外部集積部３１１は、作業者に紙幣を容易に抜き出させることができ、操作性を向上させることができる。
【０１４８】
このように外部集積部３１１は、集積空間４０から紙幣を抜き取る際にカバー３３０を開くという自然な動作を作業者に行わせるだけで、ビルストッパ３４４ＬＲ及び３４４ＲＬを紙幣の抜き出し経路から退避させることができる。
【０１４９】
これにより外部集積部３１１は、作業者に特殊な意識をさせずに、煩わしさを感じさせることなく、操作性を向上させることができる。
【０１５０】
このように外部集積部３１１は、外部集積部１１及び１１１と同様に開口部４２を狭く保ち紙幣の飛び出しを防止すると共に、外部集積部２１１よりもさらに作業者に紙幣を抜き出しやすくさせることができる。
【０１５１】
その他第４の実施の形態による外部集積部３１１は、第３の実施の形態による外部集積部２１１とほぼ同様の作用効果を奏し得る。
【０１５２】
［５．他の実施の形態］
なお上述した第１の実施の形態においては、外部集積部１１にビルストッパ４４を４本設ける場合について述べた。本発明はこれに限らず、５本以上の任意の本数のビルストッパを外部集積部１１に設けるようにしても良い。第２〜第４の実施の形態についても同様である。
【０１５３】
また上述した第１の実施の形態においては、紙幣整理装置１に外部集積部１１を２個設ける場合について述べた。本発明はこれに限らず、１個又は３個以上の任意の個数の外部集積部を紙幣整理装置１に設けても良い。第２〜第４の実施の形態についても同様である。
【０１５４】
さらに上述した第３の実施の形態においては、ビルストッパ４４がフロントガイド２３６の上端に設けられた回動軸５１を支点として回動する場合について述べた。本発明はこれに限らず、フロントガイド２３６の下端に回動軸を設け、当該回動軸を支点としてビルストッパ４４が回動しても良い。
【０１５５】
また、フロントガイド２３６Ｒの右端に回動軸を設けると共にフロントガイド２３６Ｌの左端に回動軸を設け、それらの回動軸を中心としてフロントガイド２３６Ｒ及びフロントガイド２３６Ｌが両開き戸のように回動しても良い。要はビルストッパ４４は、紙幣を抜き出す際に当該紙幣の移動経路から退避すれば良い。第４の実施の形態についても同様である。
【０１５６】
さらに上述した第１及び第２の実施の形態においては、外部集積部１１及び１１１にカバーを被せない場合について述べた。本発明はこれに限らず、外部集積部１１及び１１１にカバーを被せても良い。
【０１５７】
さらに上述した第１の実施の形態においては集積空間４０に放出された紙幣の放出方向の先端側に位置するフロントガイド３６Ｒと３６Ｌとの間に開口部４２を形成する場合について述べた。
【０１５８】
本発明はこれに限らず、例えば紙幣の放出方向に直交する、フロントガイド３６Ｒ又は３６Ｌの左右方向外側の側板に開口部を形成しても良い。第２〜第４の実施の形態においても同様である。
【０１５９】
さらに上述した第１の実施の形態においては、紙幣セット基準位置ＰＢＬを、左壁面２３の位置に設定する場合について述べた。
【０１６０】
本発明はこれに限らず、例えば右壁面２５の位置や、左壁面２３と右壁面２５との中央位置等、種々の位置に紙幣セット基準位置ＰＢＬを設定して良い。その場合、設定した紙幣セット基準位置に対応させて外部集積部１１におけるビルストッパ４４の位置を設定すれば良い。
【０１６１】
さらに上述した第３の実施の形態において、フロントガイド２３６とロアガイド２３４とに、それぞれ磁石を取り付け、磁力によりロアガイド２３４にフロントガイド２３６を引きつけるようにしても良い。また磁石に限らず、ロアガイド２３４にフロントガイド２３６を軽く固定するような機構を設けても良い。第４の実施の形態についても同様である。
【０１６２】
さらに上述した第１の実施の形態においては、ビルストッパ４４ＲＲ、４４ＲＬ、４４ＬＲ及び４４ＬＬそれぞれを独立して構成する場合について述べた。
【０１６３】
本発明はこれに限らず、ビルストッパ４４ＲＲ及び４４ＲＬを一体化させ、当該ビルストッパ４４ＲＲの位置からビルストッパ４４ＲＬの位置まで溝部が延在するようなビルストッパとしても良い。同様に、ビルストッパ４４ＬＲとビルストッパ４４ＬＬとを一体化させても良い。第２〜第３の実施の形態についても同様である。
【０１６４】
さらに上述した第１の実施の形態においては、外部集積部１１を１０元紙幣ＢＬ１０及び１００元紙幣ＢＬ１００に対応させた場合について述べたが、本発明はこれに限らず、様々な種類のサイズの紙幣に外部集積部１１を対応させて良い。第２〜第４の実施の形態についても同様である。
【０１６５】
さらに上述した第１の実施の形態においては、本発明を外部集積部１１に適用する場合について述べた。本発明はこれに限らず、例えば本発明をリジェクトポケット９に適用しても良い。第２〜第４の実施の形態についても同様である。
【０１６６】
さらに上述した第１の実施の形態においては、媒体としての紙幣ＢＬを集積空間４０に集積して外部から抜き出させる場合について述べた。
【０１６７】
本発明はこれに限らず、例えば各種チケットや証券、或いははがきや封筒等、種々の紙葉状の媒体を集積し、外部から取り出させる種々の装置に適用しても良い。第２〜第４の実施の形態についても同様である。
【０１６８】
さらに上述した第１の実施の形態においては、媒体放出部としての集積ローラ４８と、媒体収容部としてのアッパガイド３２、ロアガイド３４、フロントガイド３６及びステージ３８と、媒体支持部としてのビルストッパ４４とによって、媒体集積装置としての外部集積部１１を構成する場合について述べた。
【０１６９】
しかしながら本発明はこれに限らず、その他種々の構成でなる媒体放出部と、媒体収容部と、媒体支持部とによって媒体集積装置を構成しても良い。
【０１７０】
さらに上述した第１の実施の形態においては、媒体取込部としての紙幣取込部５と、搬送部としての搬送部７と、媒体放出部としての集積ローラ４８と、媒体収容部としてのアッパガイド３２、ロアガイド３４、フロントガイド３６及びステージ３８と、媒体支持部としてのビルストッパ４４とによって、媒体処理装置としての紙幣整理装置１を構成する場合について述べた。
【０１７１】
しかしながら本発明はこれに限らず、その他種々の構成でなる媒体取込部と、搬送部と、媒体放出部と、媒体収容部と、媒体支持部とによって媒体処理装置を構成しても良い。
【産業上の利用可能性】
【０１７２】
本発明は、紙幣等の紙葉状の媒体を集積し、外部から取り出させる種々の装置でも利用できる。
【符号の説明】
【０１７３】
１、１０１、２０１、３０１……紙幣整理装置、２……筐体、３……制御部、４……操作表示部、５……紙幣取込部、６……操作ボタン、７……搬送部、８……鑑別部、９……リジェクトポケット、１０……表裏反転部、１１、１１１、２１１、３１１、４１１……外部集積部、１２……集積部、１３……移送部、１４……紙幣結束部、１５……放出口、１６……搬送ローラ、１７……搬送ベルト、２０……フロアガイド、２２……左側壁、２３……左壁面、２４……右側壁、２５……右壁面、３０、３３０……カバー、３１……取手、３２……アッパガイド、３３……天板、３４……ロアガイド、３６、２３６、３３６、４３６……フロントガイド、３８……ステージ、４０……集積空間、４２、１４２、４４２……開口部、４４、３４４……ビルストッパ、４６……スプリング、４８……集積ローラ、５０……紙幣叩き、５１……回動軸、５２……ステー、５４……集積時開口部、５６……取出時開口部、ＬＦＬ……左側搬送限界ライン、ＬＦＲ……右側搬送限界ライン、ＬＦＣ……搬送中央ライン、ＬＩＬ……左側取込限界ライン、ＬＩＲ……右側取込限界ライン、ＰＢＬ……紙幣セット基準位置、ＷＩ……取込幅、ＷＦ……搬送幅、ＷＡ……開口幅、ＢＬ……紙幣、ＢＬｆ……半券紙幣。
【図１】
2014049026.tif 000003
【図２】
2014049026.tif 000004
【図３】
2014049026.tif 000005
【図４】
2014049026.tif 000006
【図５】
2014049026.tif 000007
【図６】
2014049026.tif 000008
【図７】
2014049026.tif 000009
【図８】
2014049026.tif 000010
【図９】
2014049026.tif 000011
【図１０】
2014049026.tif 000012
【図１１】
2014049026.tif 000013
【図１２】
2014049026.tif 000014
【図１３】
2014049026.tif 000015
【図１４】
2014049026.tif 000016
【図１５】
2014049026.tif 000017
【図１６】
2014049026.tif 000018
【図１７】
2014049026.tif 000019
【図１８】
2014049026.tif 000020
【図１９】
2014049026.tif 000021
【図２０】
2014049026.tif 000022
【図２１】
2014049026.tif 000023
【図２２】
2014049026.tif 000024
【図２３】
2014049026.tif 000025
【図２４】
2014049026.tif 000026
【図２５】
2014049026.tif 000027
【図２６】
2014049026.tif 000028
【図２７】
2014049026.tif 000029
【図２８】
2014049026.tif 000030
【図２９】
2014049026.tif 000031
【図３０】
2014049026.tif 000032
【図３１】
2014049026.tif 000033
【図３２】
2014049026.tif 000034
【図３３】
2014049026.tif 000035